(57)【要約】【課題】  挿入口に本来挿入すべき該当記録メディアよりも幅の小さい記録メディアや硬貨が誤って挿入されてもコネクタに至らないようにする記録メディア挿入機構及びこれを備えた電子機器を提供すること。【解決手段】  挿入口３より挿入される記録メディア４０をコネクタ８へと導く通路と、その通路を閉鎖する閉位置と、その通路から外れる開位置との間を移動されるシャッター１３と、閉位置にあるシャッター１３に係合される係合部２９ａ、２９ｂをそれぞれが有し、係合部２９ａ、２９ｂがシャッター１３に係合されるロック位置に付勢された状態で、通路の幅方向に関して互いに向き合って配設された一対のロック部材１４ａ、１４ｂとを備えている。【選択図】        図６
2005084874.tif 000002
【特許請求の範囲】
【請求項１】
記録メディアの挿入口と、前記挿入口の内方に位置されるコネクタとの間に設けられる記録メディア挿入機構であって、
前記挿入口より挿入される前記記録メディアを前記コネクタへと導く通路と、
前記通路を閉鎖する閉位置と、前記通路から外れる開位置との間を移動されるシャッターと、
前記閉位置にある前記シャッターに係合される係合部をそれぞれが有し、前記係合部が前記シャッターに係合されるロック位置に付勢された状態で、前記通路の幅方向に関して互いに向き合って配設された一対のロック部材とを備え、
前記ロック部材が、前記ロック位置への付勢力に抗して他方のロック部材から離間する方向に広げられると前記シャッターに対する前記係合部の係合が解除される
ことを特徴とする記録メディア挿入機構。
【請求項２】
前記シャッターを前記閉位置に付勢する付勢手段を備えている
ことを特徴とする請求項１に記載の記録メディア挿入機構。
【請求項３】
前記ロック部材は、前記シャッターと前記挿入口との間で片持ち支持された板ばねである
ことを特徴とする請求項１に記載の記録メディア挿入機構。
【請求項４】
記録メディアの挿入口と、前記挿入口の内方に位置されるコネクタと、前記挿入口と前記コネクタとの間に設けられる記録メディア挿入機構とを備えた電子機器であって、
前記記録メディア挿入機構は、
前記挿入口より挿入される前記記録メディアを前記コネクタへと導く通路と、
前記通路を閉鎖する閉位置と、前記通路から外れる開位置との間を移動されるシャッターと、
前記閉位置にある前記シャッターに係合される係合部をそれぞれが有し、前記係合部が前記シャッターに係合されるロック位置に付勢された状態で、前記通路の幅方向に関して互いに向き合って配設された一対のロック部材とを備え、
前記ロック部材が、前記ロック位置への付勢力に抗して他方のロック部材から離間する方向に広げられると前記シャッターに対する前記係合部の係合が解除される
ことを特徴とする電子機器。
【請求項５】
前記シャッターを前記閉位置に付勢する付勢手段を備えている
ことを特徴とする請求項４に記載の電子機器。
【請求項６】
前記ロック部材は、前記シャッターと前記挿入口との間で片持ち支持された板ばねである
ことを特徴とする請求項４に記載の電子機器。
【発明の詳細な説明】
【技術分野】
【０００１】
本発明は、記録メディアの挿入口と、コネクタとの間に設けられる記録メディア挿入機構及びこれを備えた電子機器に関し、更に詳しくは、その挿入口に挿入すべき該当記録メディアの挿入に対してだけ開かれるシャッターを設けて誤挿入防止を図った記録メディア挿入機構及びこれを備えた電子機器に関する。
【背景技術】
【０００２】
従来より、例えばデジタルスチルカメラや携帯電話などで撮影した画像データの記録媒体として、機器本体に対して着脱自在な小型の各種記録メディアが用いられている。
【０００３】
そして最近では、店頭や街頭などに、それら記録メディアの画像データを読み込んで写真印刷する機器の設置が増えてきている。記録メディアは、そのような機器に開口された挿入口より挿入されてその挿入口の内方に設けられたコネクタに接続される。
【０００４】
現在様々な種類の記録メディアが普及しており、それら記録メディアの種類に応じて挿入口も複数設けられ、どの挿入口にどの記録メディアを挿入するのか迷うことが多い。特に、該当記録メディアより横幅の小さい他種類の記録メディアや硬貨が誤って該当すべきでない挿入口より挿入されて、その記録メディアを無理に対応しないコネクタに接続させようとすることによるコネクタの電極ピンの破損が問題となっている。
【０００５】
従来より、誤挿入を防止する技術として、例えば特許文献１、特許文献２、特許文献３がある。
【特許文献１】特開平１０−１８７８９６号公報
【特許文献２】特開平１０−２５５９１０号公報
【特許文献３】特許第２８４１５９１号公報
【発明の開示】
【発明が解決しようとする課題】
【０００６】
上記特許文献１、２は、何れも同一種類の記録メディアに対して表裏や前後の誤挿入を防止するものであり、該当記録メディアより横幅の小さい記録メディアや硬貨が誤って挿入されてしまった場合には効果がない。
【０００７】
また、特許文献３では、図１９に示すように、カード挿入口６３において若干広く開口されたエンボアス符号対応通路を客が硬貨投入口と間違って硬貨を投入しようとしても硬貨ストッパ片６１で阻止するようにし、カードが挿入されたときにはカードの先端部によって傾斜対応片６２が下方に押し下げられて硬貨ストッパ片６１は下方に傾動退避させられカードの挿入を許容するようにしているが、カード傾斜対応片６２を、硬貨あるいは該当記録メディアより横幅の小さい記録メディアで下方に押し下げさえすればそれらの挿入を行うことができてしまう。
【０００８】
本発明は上述の問題に鑑みてなされ、その目的とするところは、挿入口に本来挿入すべき該当記録メディアよりも横幅の小さい記録メディアや硬貨が誤って挿入されてもコネクタに至らないようにする記録メディア挿入機構及びこれを備えた電子機器を提供することにある。
【課題を解決するための手段】
【０００９】
本発明の記録メディア挿入機構は、挿入口より挿入される記録メディアをコネクタへと導く通路と、その通路を閉鎖する閉位置と、その通路から外れる開位置との間を移動されるシャッターと、閉位置にあるシャッターに係合される係合部をそれぞれが有し、係合部がシャッターに係合されるロック位置に付勢された状態で、通路の幅方向に関して互いに向き合って配設された一対のロック部材とを備え、ロック部材が、ロック位置への付勢力に抗して他方のロック部材から離間する方向に広げられるとシャッターに対する係合部の係合が解除されることを特徴としている。
【００１０】
また、本発明の電子機器は、記録メディアの挿入口と、その挿入口の内方に位置されるコネクタと、挿入口とコネクタとの間に設けられる記録メディア挿入機構とを備え、その記録メディア挿入機構は、挿入口より挿入される記録メディアをコネクタへと導く通路と、その通路を閉鎖する閉位置と、その通路から外れる開位置との間を移動されるシャッターと、閉位置にあるシャッターに係合される係合部をそれぞれが有し、係合部がシャッターに係合されるロック位置に付勢された状態で、通路の幅方向に関して互いに向き合って配設された一対のロック部材とを備え、それらロック部材が、ロック位置への付勢力に抗して他方のロック部材から離間する方向に広げられるとシャッターに対する係合部の係合が解除されることを特徴としている。
【００１１】
１対のロック部材は、挿入される記録メディアの横幅に応じた記録メディア選別機能を有する。１対のロック部材が記録メディアの挿入を受けて同時に広げられて互いに離間されなければ、シャッターはロック部材によって開位置への移動が規制され閉位置に保持されたままである。該当記録メディアより横幅が小さく両ロック部材に同時に接触してその両ロック部材を同時に広げることができない物では、両方のロック部材共をシャッターとの係合から外すことができず、よってそれら該当記録メディアより横幅が小さい例えば他種類の該当メディアや硬貨などは、奥へ挿入しようとしても、ロック部材によって閉位置に保持されたシャッターにぶつかってコネクタに到達させることができない。この結果、該当しない記録メディアや硬貨などを無理にコネクタに接続させようとすることによるコネクタの破損を防ぐことができる。
【００１２】
該当記録メディアよりも横幅の大きな記録メディアについては、挿入口の横幅がその非該当記録メディアの横幅よりも小さいことによって挿入口に挿入できない。あるいは、挿入口とコネクタとの間に形成された通路の幅がその非該当記録メディアの横幅よりも小さいことによってコネクタまで到達できない。
【００１３】
記録メディアが取り出された際にシャッターを手動にて閉位置に戻すようにしてもよいが、シャッターを閉位置に付勢する付勢手段を備えさせれば、記録メディアが取り出されるとその付勢手段の付勢力によってシャッターを閉位置へと自動的に戻すことができ、シャッターの閉じ忘れを防ぐことができる。これによって、次の使用時における該当記録メディア以外の物の排除作用を確実に行える。上記付勢手段としては、例えばコイルばねや板ばねなどを用いれば簡単な構成にて実現できる。
【発明の効果】
【００１４】
本発明によれば、１対のロック部材が記録メディアの挿入を受けて同時に広げられて互いに離間されなければ、シャッターに対する両方のロック部材の係合は解除されないので、該当記録メディアより横幅の小さいものではシャッターの閉位置を解除することはできず、よってコネクタをそれら該当記録メディア以外の物の誤挿入から防げる。
【発明を実施するための最良の形態】
【００１５】
［第１の実施形態］
図１は、本実施形態に係る電子機器１の外観斜視図を示す。電子機器１は、例えば記録メディアに記録された画像データを写真印刷する機能を有し、複数種類の記録メディアの挿入口３ａ〜３ｄと、例えばタッチパネルを備えた表示部２と、硬貨投入口４と、硬貨返却レバー５と、硬貨返却口６と、写真取出口７とを備えている。
【００１６】
各挿入口３ａ〜３ｄの内方には、以下に説明するコネクタと、記録メディア挿入機構が設けられている。なお、以下の説明では各挿入口３ａ〜３ｄを１つの共通な符号３で表す。すなわち、以下で表される挿入口３は、挿入口３ａでもあり、挿入口３ｂでもあり、挿入口３ｃでもあり、挿入口３ｄでもある。
【００１７】
図４は挿入口３内方の平面図を、図５はその側面図を、図２はその要部の斜視図を示す。挿入口３の内方には、コネクタ８が配設され、このコネクタ８と挿入口３との間には、コネクタ８に接続させるべき記録メディア（以下、該当記録メディアともいう）のみをコネクタ８に到達させる記録メディア挿入機構１０が設けられている。
【００１８】
コネクタ８は直方体形状を呈し、その一側面には複数本の電極ピン８ａが突設されている。コネクタ８は、電極ピン８ａを挿入口３に向けた状態で基板１１上に固定されている。
【００１９】
記録メディア挿入機構１０は、後端部側がコネクタ８の電極ピン８ａを覆うようにして基板１１上に固定されているコネクタカバー１２と、挿入口３からコネクタ８に至る通路を開閉するシャッター１３と、このシャッター１３を閉位置に保持しておく１対のロック部材１４ａ、１４ｂを備えている。
【００２０】
図２に示すように、コネクタカバー１２の本体部１５は、挿入口３に向き合う前端部側と、コネクタ８に向き合う後端部側とが開口された扁平箱状を呈し、その内部に挿入口３より挿入される記録メディアをコネクタまで導く通路１８を形成している。
【００２１】
本体部１５の左右の内側面には、断面コ字状の一対のガイドレール１６が設けられている。各ガイドレール１６は、本体部１５の前端部側から後端部側にかけて直線的に延在すると共に、互いの凹部を対向させてる。記録メディアはその両側端部を各ガイドレール１６の凹部に嵌合させた状態で本体部１５内をコネクタ８まで導かれる。
【００２２】
各ガイドレール１６の前端部の下部には、ばね掛け部１７が設けられている。各ばね掛け部１７はＬ字状を呈し、通路１８の反対方向に突出する水平部には、後述するコイルばねの一端部が掛けられる溝１７ａが形成されている。
【００２３】
本体部１５の上面側縁部には、本体部１５上面から垂直に延びる一対のガイド板１９が設けられている。各ガイド板１９は奥行き方向に関して中央位置よりやや前端部側に位置し、その位置は両ガイド板１９で同じ位置となっている。各ガイド板１９には２本のガイドピン２０がかしめ、あるいはねじ止めなどで固定されている。各ガイドピン２０は、ばね掛け部１７の水平部の突出方向と同じ方向に突出している。また、各ガイド板１９の２本のガイドピン２０は、奥行き方向に関して一直線上に整列している。
【００２４】
以上のように構成されるコネクタカバー１２には、図３に示すシャッター１３が組み付けられる。シャッター１３は、略矩形状の上板部２１と、この上板部２１の左右の側縁部から下方に垂下して形成された側壁部２２と、上板部２１の前縁部から下方に垂下して形成された前壁部２３と、側壁部２２に取り付けられたばね掛け部２４とから構成される。
【００２５】
各側壁部２２には、細い長円形状の２個の長孔２５が形成されている。各長孔２５はその後端部側が前端部側より上に位置するように傾いており、また、互いの長孔２５は平行となっている。
【００２６】
ばね掛け部２４は、側壁部２２の後端部寄りの箇所の下部に取り付けられ、側壁部２２の外方に突出している。各ばね掛け部２４には溝２４ａが形成され、この溝２４ａには、上記コネクタカバー１２のばね掛け部１７の溝１７ａに一端部が掛けられる後述するコイルばねの他端部が掛けられる。
【００２７】
側壁部２２の前端部は、上板部２１の前縁部から奥行き方向に後退した位置にあり、また、前壁部２３の幅は上板部２１の幅より小さい。これにより、上板部２１の前縁角部の下方には、ロック部材１４ａ、１４ｂの広がり動作を許容する空間ｓが形成されている。
【００２８】
前壁部２３の先端部は内側（あるいは外側でもよい）に折り返されている。これにより、前壁部２３の下端部は下に凸状の曲面になっている。
【００２９】
シャッター１３の内幅はコネクタカバー１２の外幅よりもわずかに大きくなっており、シャッター１３は図４、５に示すようにコネクタカバー１２の外側に被せられる。具体的には、コネクタカバー１２の上面部とシャッター１３の上板部２１とが対向され、且つ図５に示すように、１つの長孔２５に対して１つのガイドピン２０が対応する関係で、ガイドピン２０がシャッター１３の長孔２５を貫通して嵌まり込む。
【００３０】
コネクタカバー１２の、それぞれのばね掛け部１７の溝１７ａにはコイルばね２６の一端部が掛けられており、そのばね掛け部１７より奥に位置するシャッター１３のばね掛け部２４の溝２４ａにはコイルばね２６の他端部が掛けられている。これら２つのコイルばね２６はシャッター１３を図４、５に示す閉位置に付勢する付勢手段として機能し、これらコイルばね２６によって、シャッター１３は前方（挿入口３）側に引っ張られている。ガイドピン２０がシャッター１３の長孔２５の後端部内壁に当接することで、シャッター１３の前方への移動は規制されている。
【００３１】
また、図４、５の状態では、シャッター１３の前壁部２３は、コネクタカバー１２の入口の前方位置で、挿入口３からコネクタカバー１２の入口に至る通路を閉鎖している。
【００３２】
シャッター１３の前壁部２３には、以下に説明する１対のロック部材１４ａ、１４ｂが係合している。本実施形態では各ロック部材１４ａ、１４ｂは、例えばステンレスや銅などのばね性に優れた材料からなる細長い板部材の所定箇所を折り曲げた板ばねからなる。
【００３３】
ロック部材１４ａは、その大部分を占めるＬ字部２７ａと、筐体９への固定部２８ａと、シャッター１３との係合部２９ａとが一体的に接続されて構成される。
【００３４】
固定部２８ａは、筐体９における挿入口３の縁部近傍位置にかしめ固定、あるいはねじ止め固定されている。この固定部２８ａとの間に鈍角を形成してＬ字部２７ａの長尺部が接続しており、その長尺部は固定部２８ａから挿入口３の（幅方向の）中心に向かうにつれてシャッター１３の前壁部２３に近づくようにされ、Ｌ字部２７ａは、その長尺部と短尺部とを接続する湾曲部３０ａを、挿入口３とシャッター１３の前壁部２３との間の空間に位置させている。
【００３５】
Ｌ字部２７ａの短尺部には、湾曲部３０ａ側に鈍角を形成して屈曲した係合補助部３１ａが接続され、この係合補助部３１ａには、湾曲部３０ａの張出し方向にほぼ直角に屈曲した係合部２９ａが接続している。
【００３６】
他方のロック部材１４ｂについても同様に構成され、ロック部材１４ｂは、その大部分を占めるＬ字部２７ｂと、筐体９への固定部２８ｂと、シャッター１３との係合部２９ｂとが一体的に接続されて構成される。
【００３７】
固定部２８ｂは、筐体９における挿入口３の縁部近傍位置にかしめ固定、あるいはねじ止め固定されている。この固定部２８ｂとの間に鈍角を形成してＬ字部２７ｂの長尺部が接続しており、その長尺部は固定部２８ｂから挿入口３の（幅方向の）中心に向かうにつれてシャッター１３の前壁部２３に近づくようにされ、Ｌ字部２７ｂは、その長尺部と短尺部とを接続する湾曲部３０ｂを、挿入口３とシャッター１３の前壁部２３との間の空間に位置させている。
【００３８】
Ｌ字部２７ｂの短尺部には、湾曲部３０ｂ側に鈍角を形成して屈曲した係合補助部３１ｂが接続され、この係合補助部３１ｂには、湾曲部３０ｂの張出し方向にほぼ直角に屈曲した係合部２９ｂが接続している。
【００３９】
これら各ロック部材１４ａ、１４ｂは、互いの湾曲部３０ａ、３０ｂを対向させて配置されている。互いのロック部材１４ａ、１４ｂは、挿入口３の幅方向に関しての中心を通る線に関して対称関係にある。
【００４０】
ロック部材１４ａ、１４ｂが図４に示すロック位置に付勢された状態で、係合補助部３１ａ、３１ｂはシャッター１３の前壁部２３を挟み込むように前壁部２３の両側端部に弾接しており、係合部２９ａ、２９ｂは前壁部２３の裏面（コネクタ８に向き合う側の面）に当接あるいはわずかに間隙をあけて対向している。
【００４１】
（記録メディアの正しい挿入が行われた場合）
挿入口３より、この挿入口３に挿入すべき該当記録メディアが挿入されると、図４で一点鎖線で示すように、挿入口３より少し内方に入った位置で記録メディア４０の前端部側の角部が各ロック部材１４ａ、１４ｂのＬ字部２７ａ、２７ｂの長尺部に当接する。
【００４２】
なお、記録メディア４０は矩形状を呈し、挿入口３の横幅は記録メディア４０の横幅よりわずかに大きくされている。この挿入口３の横幅よりも大きな横幅を有する他種類の記録メディアの挿入はここで排除される。
【００４３】
Ｌ字部２７ａ、２７ｂの長尺部に先端部が当接した記録メディア４０を更に奥へ押し込むと、各ロック部材１４ａ、１４ｂは固定部２８ａ、２８ｂと、Ｌ字部２７ａ、２７ｂの長尺部との境界の折曲部を支点に矢印で示す横幅方向に広げられ、図６に示すように、ロック部材１４ａ、１４ｂの係合部２９ａ、２９ｂがシャッター１３の前壁部２３に対する係合から外れ、シャッター１３は奥側に移動することが可能となる。このとき、シャッター１３の前壁部２３の両脇に空間ｓ（図３参照）が形成されているので、ロック部材１４ａ、１４ｂの係合部２９ａ、２９ｂの広がりは妨げられない。
【００４４】
ロック部材１４ａ、１４ｂが広げられると弾性復元力が作用し、図６に示すように、湾曲部３０ａ、３０ｂでもって記録メディア４０の側端部に弾接する。
【００４５】
記録メディア４０を更に押し込むと、記録メディア４０の前端部がシャッター１３の前壁部２３に当接してシャッター１３を奥へ押す。シャッター１３は、記録メディア４０から奥へ押される力を受けると、ガイドピン２０と長孔２５との係合によるガイド作用にて、長孔２５の傾斜方向に沿って斜め上方へと移動される。この移動は、図７に示されるように、長孔２５の前端部側の内壁にガイドピン２０が当接することで規制される。
【００４６】
これにより、シャッター１３の前壁部２３が、挿入口３とコネクタ８との間を結ぶ通路から斜め上方に外れ、記録メディア４０のコネクタ８に対する挿入が可能になる。
【００４７】
この、シャッター１３が開位置をとる状態では、シャッター１３の前壁部２３の下端部は記録メディア４０の上面に当接され（図７参照）、更にガイドピン２０に係合している長孔２５が傾斜していることもあって、シャッター１３は図４、５に示される閉位置への移動が規制されている。
【００４８】
記録メディア４０を更に奥へ押し込むと、コネクタカバー１２のガイドレール１６にガイドされて記録メディア４０はほぼ水平にコネクタ８まで導かれ、記録メディア４０の前端面に形成された係合孔に電極ピン８ａが係合する。これにより、記録メディア４０はコネクタ８と電気的に接続される。
【００４９】
一度上記ロック部材１４ａ、１４ｂが記録メディア４０によって広げられると、上述したようなシャッター１３を押しての記録メディア４０のコネクタ８へ向けての移動中、及びコネクタ８に差し込まれた状態を通じて、ロック部材１４ａ、１４ｂの湾曲部３０ａ、３０ｂは記録メディア４０の側端部に弾接し、図６に示すように広げられた状態にある。
【００５０】
また、記録メディア４０がコネクタ８の電極ピン８ａに係合された状態では、シャッター１３はその前壁部２３の先端部を記録メディア４０の上面部に接触させてコイルばね２６の引っ張り方向（斜め前方下向き）に付勢されている。この付勢方向は、記録メディア４０がコネクタ８の電極ピン８ａから抜ける方向と平行となっていないので、記録メディア４０をコネクタ８から抜けさせるような大きな力を記録メディア４０には作用させず、記録メディア４０とコネクタ８との安定した接続状態を維持できる。
【００５１】
また、記録メディア４０の上面部に接触されるシャッター１３の前壁部２３の先端部は曲面であるので、記録メディア４０に対する傷付きを防止できる。
【００５２】
コネクタ８と接続された記録メディア４０は、その記録メディア４０に記録された画像データなどがコネクタ８を介して読み出され、表示部２の画面上に表示されたり印刷される。印刷された写真は写真取出口７から取り出すことができる。あるいは、記録メディア４０から読み出したデータを別の挿入口に挿入された他の記録メディアに書き込みができるようにしてもよい。
【００５３】
記録メディア４０の取り出しは、例えば挿入口３よりはみ出す部分を手で引っ張ること、あるいは図示しないイジェクトボタンを押して図示しないプッシュロッドなどで記録メディア４０を挿入口３方向に押し出すなどして行われる。
【００５４】
記録メディア４０が挿入口３側へ移動して、シャッター１３の前壁部２３との当接が解除されると、シャッター１３はコイルばね２６に引っ張られて閉位置へと自動的に戻される。
【００５５】
更に、記録メディア４０が引き出されてロック部材１４ａ、１４ｂの湾曲部３０ａ、３０ｂとの弾接が外れると、互いに広げられていたロック部材１４ａ、１４ｂはその復元力でもって図４に示す状態に戻り、このとき係合部２９ａ、２９ｂは、閉位置に戻されているシャッター１３の前壁部２３に係合してシャッター１３を再びロック位置に保持する。
【００５６】
（誤挿入の場合）
例えば、図４において２点鎖線で示すように、該当記録メディア４０よりも横幅の小さい他種類の記録メディア４１が誤って挿入口３より挿入されてしまった場合について説明する。
【００５７】
この場合には、記録メディア４１が挿入口３より挿入されても、記録メディア４１の両側端部が、両ロック部材１４ａ、１４ｂの湾曲部３０ａ、３０ｂに同時には接触しない。よって、ロック部材１４ａ、１４ｂのうちの一方のみが記録メディア４１の側端部によって他のロック部材から離間する方向に押し広げられることは起こり得ても、両ロック部材１４ａ、１４ｂ共が同時に広げられることはなく、両係合部２９ａ、２９ｂ共がシャッター１３の前壁部２３との係合から外れることはない。
【００５８】
これにより、シャッター１３の閉位置は保持され、記録メディア４１を押し込んでもシャッター１３の前壁部２３に当接してそれ以上の挿入が規制される。この結果、該当記録メディア４０よりも横幅の小さい記録メディア４１や硬貨などがコネクタ８に至ることが防がれ、それらによってコネクタ８の電極ピン８ａが無理に押されて変形したり折れたりするのを防ぐことができる。
【００５９】
また、シャッター１３の閉位置では、シャッター１３の板状の前壁部２３は、コネクタ８へと至る通路を閉鎖しており、挿入口３を通じて入り込むほこりや水分などがコネクタ８の電極ピン８ａに至ることも防げる。
【００６０】
また、図８に示すように、硬貨４２の直径Ｄよりも小さな幅の記録メディア用の挿入機構に硬貨４２が挿入されようとなった場合においても、本実施形態ではその硬貨４２の誤挿入を防止できる。
【００６１】
これについて説明すると、硬貨４２が挿入口３より挿入されて、両ロック部材１４ａ、１４ｂの湾曲部３０ａ、３０ｂに、これら湾曲部３０ａ、３０ｂ間の距離ｄよりも寸法が大きい部分が至る前に、硬貨４２の挿入側の端部が閉位置でロックされているシャッター１３の前壁部２３に当接して、硬貨４２のそれ以上の挿入が規制される。したがって、硬貨４２によって湾曲部３０ａ、３０ｂ間が広げられることはなく、前壁部２３に対する係合部２９ａ、２９ｂの係合は外れずに、硬貨４２のコネクタ８へ向けた挿入が阻止される。
【００６２】
なお、該当記録メディア４０より横幅の大きな記録メディアについては、挿入口３に挿入できない、あるいはコネクタカバー１２のガイドレール１６間に入らないことでコネクタ８への到達が阻止される。
【００６３】
［第２の実施形態］
次に、本発明の第２の実施形態について説明する。なお、上記第１の実施形態と同じ構成部分には同一の符号を付しその詳細な説明は省略する。
【００６４】
本実施形態では、図１０に示すように、シャッター３３は箱型形状であり、その左右の両側壁部に、前端部側から順に係合孔３４、２個の長孔２５が形成されている。各長孔２５はその後端部側が前端部側より上に位置するように傾いており、また、互いの長孔２５は平行となっている。シャッター３３が閉位置にある状態では、係合孔３４に、上記ロック部材１４ａ、１４ｂの係合部２９ａ、２９ｂが係合され、シャッター３３は閉位置に保持される。
【００６５】
また、シャッター３３の後壁部には、シャッター３３を閉位置に付勢する付勢手段として板ばね３５が一体的に、あるいは別体で取り付けられている。
【００６６】
以上のシャッター３３は、図９に示すコネクタカバー３６の内側に配置されて組み合わされる。コネクタカバー３６には、第１の実施形態と同様、シャッター３３の長孔２５に係合されるガイドピン２０が形成されている。コネクタカバー３６の上面部とシャッター３３の上板部とが対向され、且つ１つの長孔２５に対して１つのガイドピン２０が対応する関係で、ガイドピン２０がシャッター３３の長孔２５を貫通して嵌まり込む。
【００６７】
また、コネクタカバー３６の後端部にはばね受け部３７が突設されている。ばね受け部３７の上端部はＬ字状に屈曲されている。
【００６８】
本実施形態においても、第１の実施形態と同様、挿入口３より、この挿入口３に挿入すべき該当記録メディアが挿入されると、挿入口３より少し内方に入った位置で記録メディアの前端部側の角部が各ロック部材１４ａ、１４ｂのＬ字部２７ａ、２７ｂの長尺部に当接する。
【００６９】
記録メディアを更に奥へ押し込むと、各ロック部材１４ａ、１４ｂは固定部２８ａ、２８ｂと、Ｌ字部２７ａ、２７ｂの長尺部との境界の折曲部を支点に横幅方向に広げられ、ロック部材１４ａ、１４ｂの係合部２９ａ、２９ｂがシャッター３３の係合孔３４に対する係合から外れ、シャッター３３は奥側に移動することが可能となる。
【００７０】
記録メディアを更に押し込むと、記録メディアの前端部がシャッター３３の前壁部に当接してシャッター３３を奥へ押す。シャッター３３は、記録メディアから奥へ押される力を受けると、ガイドピン２０と長孔２５との係合によるガイド作用にて、長孔２５の傾斜方向に沿って斜め上方へと移動される。この移動は、長孔２５の前端部側の内壁にガイドピン２０が当接することで規制される。
【００７１】
これにより、シャッター３３の前壁部２３が、挿入口３とコネクタ８との間を結ぶ通路から斜め上方に外れ、記録メディアのコネクタ８に対する挿入が可能になる。
【００７２】
記録メディアの取り出し動作の際には、シャッター３３の押し込みによって、シャッター３３の後端部と、コネクタカバー３６の後端部に形成されたばね受け部３７との間で圧縮されていた板ばね３５の（図１１における矢印方向の）弾性復元力によって、シャッター３３は閉位置へと自動的に戻される。なお、板ばね３５の代わりに圧縮コイルばねを用いてもよい。
【００７３】
［第３の実施形態］
次に、本発明の第３の実施形態について説明する。なお、上記第１の実施形態と同じ構成部分には同一の符号を付しその詳細な説明は省略する。
【００７４】
本実施形態では、図１３に示すシャッター４５の後端部に形成された回動用孔４９を、図１２に示すコネクタカバー４４に形成されたガイドピン２０に回動自在に嵌合させて、シャッター４５とコネクタカバー４４とを組み合わせる。
【００７５】
シャッター４５の前壁部４５ａは上縁部が下縁部よりも手前（挿入口３）側に位置するように傾斜した傾斜面となっており、上記ロック部材１４ａ、１４ｂの係合部２９ａ、２９ｂがシャッター４５の係合孔４６から外れて、記録メディアの前端部によって前壁部４５ａが押されると、その前壁部４５ａが傾斜していることによって、図１４に示すように、シャッター４５はガイドピン２０と回動用孔４９との嵌合部を支点に上方（図１４において反時計方向）に回動される。
【００７６】
これにより、シャッター４５の前壁部４５ａが、挿入口３とコネクタ８とを結ぶ通路から外れて、記録メディアのコネクタ８に向けた挿入が可能となる。
【００７７】
なお、コネクタカバー４４に形成されたばね掛け部４７と、シャッター４５に形成されたばね掛け部４８間には、シャッター４５を閉位置に付勢する付勢手段としてコイルばね（図示せず）が掛けわたされ、シャッター４５を閉位置へと付勢し、記録メディアが取り出されると自動的にシャッター４５は閉位置へと戻るようになっている。あるいは、そのようなコイルばねを設けなくても重力の作用にて自動的に戻すことも可能である。
【００７８】
また、図１５に示すように、前壁部４５ａと傾斜を逆にした前壁部４５ｂとして、シャッター４５’をガイドピン２０と回動用孔４９との嵌合部を支点に下方（図１５において時計方向）に回動させるようにしてもよい。
【００７９】
このように、シャッターを回転させて開閉する構造は、厳密な寸法精度を必要とせずに実現できる利点がある。
【００８０】
以上、本発明の実施形態について説明したが、勿論、本発明はこれらに限定されることなく、本発明の技術的思想に基づいて種々の変形が可能である。
【００８１】
図１６に示すように、ロック部材として板ばねを用いるのではなく、ヒンジｈによって図示の平面内で回動自在にされた１対の板状部材５０ａ、５０ｂ間をコイルばね５１で相近づける方向（シャッターの閉位置を保持するロック位置）に引っ張る構成としてもよい。
【００８２】
また、図１７に示すように、ロック部材として、直線状の板ばね５２ａ、５２ｂを用いてもよい。
【００８３】
また、上記実施形態において長孔２５をコネクタカバーに形成し、これに係合されるガイドピン２０をシャッターに形成してもよい。
【００８４】
また、図１８に示すように、シャッターに形成された長孔に係合してシャッターの閉位置と開位置との間の移動をガイドするガイドピン２０’を左右のガイド板１９を貫く通し軸構造としてもよい。ガイドピン２０’は、例えばその両端部に嵌められる止め輪３８にて抜け止めがなされる。
【００８５】
また、各ロック部材と記録メディアの左右の側端部との２箇所の弾接箇所は真向かいに対向している必要はなく、挿入方向に関してずれていてもよい。
【００８６】
本発明は、印刷装置に限らず、デスクトップ型やノートブック型、あるいはノートブック型より更に小さな携帯型などの各種コンピュータ、録画・再生装置、その他記録メディアの挿入口を備える全ての電子機器に適用できる。
【図面の簡単な説明】
【００８７】
【図１】本発明の実施形態に係る電子機器の外観斜視図である。
【図２】本発明の第１の実施形態に係る記録メディア挿入機構のコネクタカバーの斜視図である。
【図３】同記録メディア挿入機構のシャッターの斜視図である。
【図４】同記録メディア挿入機構の平面図である。
【図５】同記録メディア挿入機構の側面図である。
【図６】図４に示す記録メディア挿入機構に記録メディアが挿入されている状態を示す平面図である。
【図７】図５に示す記録メディア挿入機構に記録メディアが挿入されている状態を示す側面図である。
【図８】図４に示す記録メディア挿入機構に対する硬貨の挿入防止作用を説明する図である。
【図９】本発明の第２の実施形態に係るコネクタカバーの斜視図である。
【図１０】同第２の実施形態に係るシャッターの斜視図である。
【図１１】同第２の実施形態に係るシャッターの閉位置への戻り動作を説明する模式図である。
【図１２】本発明の第３の実施形態に係るコネクタカバーの斜視図である。
【図１３】同第３の実施形態に係るシャッターの斜視図である。
【図１４】同第３の実施形態に係るシャッターの開位置への動作を説明する模式図である。
【図１５】図１４の反対方向へのシャッターの動作を説明する変形例の図である。
【図１６】記録メディア挿入機構の変形例の平面図である。
【図１７】記録メディア挿入機構の他変形例の平面図である。
【図１８】コネクタカバーの変形例の斜視図である。
【図１９】従来例の記録メディア挿入機構の正面図である。
【符号の説明】
【００８８】
１…電子機器、３，３ａ〜３ｄ…挿入口、４…硬貨投入口、８…コネクタ、８ａ…電極ピン、１０…記録メディア挿入機構、１１…基板、１２…コネクタカバー、１３…シャッター、１４ａ，１４ｂ…ロック部材、１６…ガイドレール、１７…ばね掛け部、２０…ガイドピン、２４…ばね掛け部、２５…長孔、２６…コイルばね、２９ａ，２９ｂ…係合部、３０ａ，３０ｂ…湾曲部（弾接部）、３３…シャッター、３５…板ばね、３６…コネクタカバー、３７…ばね受け、４０…記録メディア、４４…コネクタカバー、４５…シャッター、４５ａ…前壁部。
【図１】
2005084874.tif 000003
【図２】
2005084874.tif 000004
【図３】
2005084874.tif 000005
【図４】
2005084874.tif 000006
【図５】
2005084874.tif 000007
【図６】
2005084874.tif 000008
【図７】
2005084874.tif 000009
【図８】
2005084874.tif 000010
【図９】
2005084874.tif 000011
【図１０】
2005084874.tif 000012
【図１１】
2005084874.tif 000013
【図１２】
2005084874.tif 000014
【図１３】
2005084874.tif 000015
【図１４】
2005084874.tif 000016
【図１５】
2005084874.tif 000017
【図１６】
2005084874.tif 000018
【図１７】
2005084874.tif 000019
【図１８】
2005084874.tif 000020
【図１９】
2005084874.tif 000021